Podtech/llm-jp-corpus-v4-ja_patent huggingface dataset:
【手続補正書】
【提出日】平成17年9月20日(2005.9.20)
【手続補正１】
【補正対象書類名】明細書
【補正対象項目名】請求項１
【補正方法】変更
【補正の内容】
【請求項１】  ポリオールと、ポリイソシアネートと、水と、触媒と、を含む組成物を反応させて得られる画像形成装置部品用高分子材料において、前記触媒を用いたときの、トルエンジイソシアネート（以下ＴＤＩ）とジエチレングリコール（以下ＤＥＧ）の反応速度を定数化した樹脂化定数をＫ1（Ｌ2／（ｇ・ｍｏｌ・ｈｒ）／１０）、ＴＤＩと水（以下Ｈ2Ｏ）の反応速度を定数化した泡化定数をＫ2（Ｌ2／（ｇ・ｍｏｌ・ｈｒ）／１０）とした場合、Ｋ2／Ｋ1×１０が５以下であることを特徴とする画像形成装置部品用高分子材料。
【手続補正２】
【補正対象書類名】明細書
【補正対象項目名】請求項２
【補正方法】変更
【補正の内容】
【請求項２】  前記泡化定数Ｋ2（Ｌ2／（ｇ・ｍｏｌ・ｈｒ）／１０）が５以下であることを特徴とする請求項１記載の画像形成装置部品用高分子材料。
【手続補正３】
【補正対象書類名】明細書
【補正対象項目名】０００８
【補正方法】変更
【補正の内容】
【０００８】
【課題を解決するための手段】
本発明者らは、前記目的を達成するために鋭意研究を重ねた結果、
ポリオールとポリイソシアネートと、水と、触媒とを含む組成物を反応させて得られる画像形成装置部品用高分子材料において、前記触媒を用いたときの、トルエンジイソシアネート（以下ＴＤＩ）とジエチレングリコール（以下ＤＥＧ）の反応速度を定数化した樹脂化定数をＫ1（Ｌ2／（ｇ・ｍｏｌ・ｈｒ）／１０）、ＴＤＩと水（以下Ｈ2Ｏ）の反応速度を定数化した泡化定数をＫ2（Ｌ2／（ｇ・ｍｏｌ・ｈｒ）／１０）とした場合、Ｋ2／Ｋ1×１０が５以下であることを特徴とする画像形成装置部品用高分子材料を用いた。そのような部材は、Ｋ2／Ｋ1×１０が５を超えるものに比べ相対的に泡化定数が小さいため、水とポリイソシアネートの反応よりも、ポリオールとポリイソシアネートの反応が促進され、芳香族ポリ尿素を生成し難いという特徴を持つ。そのため、高温高湿下での圧縮永久歪に優れ、電子写真装置等の画像形成装置用の部材として、好適であることを見出した。本発明は、かかる知見に基づいて完成したものである。
【手続補正４】
【補正対象書類名】明細書
【補正対象項目名】０００９
【補正方法】変更
【補正の内容】
【０００９】
すなわち、本発明は、ポリオールと、ポリイソシアネートと、水と、触媒とを含む組成物を反応させて得られる画像形成装置部品用高分子材料において、前記触媒を用いたときの、ＴＤＩとＤＥＧの反応速度を定数化した樹脂化定数をＫ1（Ｌ2／（ｇ・ｍｏｌ・ｈｒ）／１０）、ＴＤＩとＨ2Ｏの反応速度を定数化した泡化定数をＫ2（Ｌ2／（ｇ・ｍｏｌ・ｈｒ）／１０）とした場合、Ｋ2／Ｋ1×１０が５以下であることを特徴とする画像形成装置部品用高分子材料を提供するものである。
【手続補正５】
【補正対象書類名】明細書
【補正対象項目名】００１０
【補正方法】変更
【補正の内容】
【００１０】
なお、ＴＤＩとＤＥＧの反応速度を定数化した樹脂化定数（Ｌ2／ｅｑ・ｍｏｌ・ｈｒ）、ＴＤＩとＨ2Ｏの反応速度を定数化した泡化定数（Ｌ2／ｅｑ・ｍｏｌ・ｈｒ）は、東洋曹達研究報告第２８巻第１号（１９８４年）（非特許文献１）に記載された手法により求められる触媒定数である。
【手続補正６】
【補正対象書類名】明細書
【補正対象項目名】００１２
【補正方法】変更
【補正の内容】
【００１２】
【発明の実施の形態】
ポリオールと、ポリイソシアネートと、水と、触媒とを含む組成物を反応させて得られる画像形成装置部品用高分子材料において、本発明者らは、トルエンジイソシアネート（以下ＴＤＩ）とジエチレングリコール（以下ＤＥＧ）の反応速度を定数化した樹脂化定数、及びＴＤＩと水（以下Ｈ2Ｏ）の反応速度を定数化した泡化定数に着目し、泡化反応の起きにくい触媒を発見した。
【手続補正７】
【補正対象書類名】明細書
【補正対象項目名】００１３
【補正方法】変更
【補正の内容】
【００１３】
なお、ＴＤＩとＤＥＧの反応速度を定数化した樹脂化定数、及びＴＤＩとＨ2Ｏの反応速度を定数化した泡化定数は、東洋曹達研究報告第２８巻第１号（１９８４年）（非特許文献１）に記載された手法により求められる触媒定数である。以下、その算出法について説明する。
【手続補正８】
【補正対象書類名】明細書
【補正対象項目名】００１９
【補正方法】変更
【補正の内容】
【００１９】
樹脂化定数は、ＴＤＩとＤＥＧの反応について上記の方法で求めた触媒定数であり、泡化定数は、ＴＤＩとＨ2Ｏの反応について上記の方法により求めた触媒定数である。
【手続補正９】
【補正対象書類名】明細書
【補正対象項目名】００２０
【補正方法】変更
【補正の内容】
【００２０】
すなわち、上記樹脂化定数をＫ1（Ｌ2／（ｇ・ｍｏｌ・ｈｒ）／１０）、上記泡化定数をＫ2（Ｌ2／（ｇ・ｍｏｌ・ｈｒ）／１０）とした場合、Ｋ2／Ｋ1×１０が５以下である触媒を用いた画像形成装置部品用高分子材料は、高温高湿下での圧縮永久歪に優れ、電子写真装置等の画像形成装置用の部材として特に好ましいものである。好ましくは、０．４以上４以下である。
【手続補正１０】
【補正対象書類名】明細書
【補正対象項目名】００２１
【補正方法】変更
【補正の内容】
【００２１】
これら触媒の中でも、特に好ましいものは、泡化定数Ｋ2（Ｌ2／（ｇ・ｍｏｌ・ｈｒ）／１０）が５以下であることを特徴とした画像形成装置部品用高分子材料である。すなわち、Ｋ2／Ｋ1×１０が５以下であっても、泡化定数Ｋ2（Ｌ2／（ｇ・ｍｏｌ・ｈｒ）／１０）が５を超える触媒を使用した場合、ＴＤＩと水（Ｈ2Ｏ）の反応が、ＴＤＩとポリオールのそれよりも優先的に起こりやすく、芳香族ポリ尿素を生成しやすいからである。前記芳香族ポリ尿素は軟質フォームの圧縮永久歪を悪化させる。特に温度４０℃湿度９５％のような高温高湿環境下でも圧縮永久歪が大きい。
【手続補正１１】
【補正対象書類名】明細書
【補正対象項目名】００２２
【補正方法】変更
【補正の内容】
【００２２】
前記条件を満足する触媒としては、ビス（ジメチルアミノプロピル）メチルアミン、ビス（３−ジメチルアミノプロピル）−Ｎ，Ｎ−ジメチルプロパンジアミン、Ｎ−メチルモルホリン、Ｎ−エチルモルホリン、Ｎ，Ｎ−ジメチルアミノエチルモルホリン、１−イソブチル−２−メチルイミダゾール、Ｎ，Ｎ−ジメチルアミノエタノール、１，４−ジアザビシクロ［２，２，２］オクタンのジプロピレングリコール溶液などが挙げられる。これら触媒の中でも、ビス（ジメチルアミノプロピル）メチルアミン、若しくはビス（３−ジメチルアミノプロピル）−Ｎ，Ｎ−ジメチルプロパンジアミンを使用した画像形成装置部品用高分子材料は、高温高湿下での圧縮永久歪に優れ、電子写真装置等の画像形成装置用の部材として特に好ましいものである。これら触媒は単独で用いても良いし、本発明の効果が損なわれない範囲で、泡化定数Ｋ2（Ｌ2／（ｇ・ｍｏｌ・ｈｒ）／１０）が５以下の触媒と適宜組み合せて用いることが出来る。２以上の触媒を組合せて使用する場合は、すべての触媒のＫ2／Ｋ1×１０が５以下であることが好ましい。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
遊技盤の盤面に取付けられた特定入球手段と、
該特定入球手段の上方に配設され、所定領域から前記特定入球手段に向って流下する遊技球を、前記盤面から離れる側に誘導する誘導部材と、
該誘導部材の側方に設けられ、該誘導部材によって誘導される遊技球の流路と、他の遊技球の流路とを区画する一対の区画形成部材と
を具備することを特徴とする遊技機。
【請求項２】
前記誘導部材と対向するように前記誘導部材の斜め上方に設けられ、流下する前記遊技球を制動するとともに該遊技球を前記誘導部材側に跳ね返す制動部材をさらに備えることを特徴とする請求項１に記載の遊技機。
【請求項３】
前記誘導部材の前方に設けられ、前記誘導部材との間に遊技球の流路を形成するとともに、前記誘導部材を遮蔽する不透明の遮蔽部材をさらに備えることを特徴とする請求項１または請求項２に記載の遊技機。
【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
内部に設けられた遊技盤面を、視認部材を介して視認可能に構成された遊技機において、
前記視認部材には、所定の表示対象を表示可能な表示可能領域を有してなる表示手段が設けられているとともに、該表示可能領域には、実際に表示対象の表示される実表示領域が設けられていることを特徴とする遊技機。
【請求項２】
前記実表示領域を前記表示可能領域内において設定する実表示領域設定手段を設けるとともに、前記実表示領域設定手段は、前記表示対象を表示制御する表示制御手段であることを特徴とする請求項１に記載の遊技機。
【請求項３】
本体部に装着された遊技盤と、
前記本体部に対し支持部において開閉可能に支持された扉枠と
を備え、前記扉枠には板状の視認部材が設けられ、該視認部材を介して前記遊技盤を視認可能に構成されてなる遊技機において、
前記視認部材には、所定の表示対象を表示可能な表示可能領域を有してなる表示手段が設けられているとともに、該表示可能領域には、実際に表示対象の表示される実表示領域が設けられており、
前記実表示領域を前記表示可能領域内において設定する実表示領域設定手段を設けるとともに、前記実表示領域設定手段は、前記表示対象を可変表示制御可能な表示制御手段であることを特徴とする遊技機。
【請求項４】
少なくとも前記実表示領域を駆動するドライバと、前記表示制御手段とを、前記扉枠に設け、かつ、前記ドライバ及び前記表示制御手段をコネクタ接続したことを特徴とする請求項３に記載の遊技機。
【請求項５】
前記視認部材は、前後方向に配設された複数枚の板状体によって構成され、そのうちの最前部の板状体を除く１枚の板状体に前記表示可能領域が設けられていることを特徴とする請求項１乃至４のいずれかに記載の遊技機。
【請求項６】
前記遊技盤には、遊技領域を画定するためのレールが設けられており、前記表示可能領域は前記レールに跨って設定されていることを特徴とする請求項１乃至５のいずれかに記載の遊技機。
【請求項７】
前記表示可能領域は、透明エレクトロルミネセンス素子により構成されていることを特徴とする請求項１乃至６のいずれかに記載の遊技機。
【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
本体と、
上記本体を設置位置に取り付けるための金属製の取付枠と、
上記本体の手前側に開閉可能に取り付けられ、前面に露出した金属部を有する扉とを含み、
上記扉が閉じられた状態では、上記金属部が、当該金属部の近傍で上記取付枠に対して導電可能に接続されるようになっていることを特徴とする遊技機。
【請求項２】
上記扉は、その一端部を中心に上記本体に対して回動可能に取り付けられていて、
上記金属部は、上記扉の他端部に配置されていることを特徴とする請求項１記載の遊技機。
【請求項３】
上記扉が閉じられた状態で、上記金属部と取付枠とを導電可能に接続する導電部材をさらに含むことを特徴とする請求項１または２記載の遊技機。
【請求項４】
上記導電部材は、上記本体に設けられ、上記扉が閉じられた状態で、上記金属部と取付枠とに接触することを特徴とする請求項３記載の遊技機。
【請求項５】
上記金属部は、上記扉の開閉を規制するための鍵機構であることを特徴とする請求項１〜４のいずれかに記載の遊技機。
【手続補正２】
【補正対象書類名】明細書
【補正対象項目名】００１２
【補正方法】変更
【補正の内容】
【００１２】
請求項４記載の発明は、上記導電部材（１２）は、上記本体（２）に設けられ、上記扉（３）が閉じられた状態で、上記金属部（３０）と取付枠（５）とに接触することを特徴とする請求項３記載の遊技機（１）である。
請求項５記載の発明は、上記金属部は、上記扉（３）の開閉を規制するための鍵機構（３０）であることを特徴とする請求項１〜４のいずれかに記載の遊技機（１）である。
この構成によれば、例えば遊技者や遊技店の店員の手が触れたりして遊技機内に静電気が進入しやすい鍵機構から進入する静電気を、良好に逃がすことができる。
【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
始動条件が成立することに起因して識別情報を変動表示し、その変動表示結果が予め定められた表示態様となった場合に特別遊技状態となる遊技機において、
遊技機についての所定条件を検出する検出手段と、
前記検出手段からの検出信号に基づいて、前記変動表示時に実行される遊技演出であって、特別遊技状態発生への期待感のある特定遊技演出の出現率を高めるように変更する出現率変更手段と
を備え、
前記検出手段は、所定量の有価物体を一括して貸し出しを受けるための貸出ボタンと、前記貸出ボタンを操作した際に抽選を行う抽選手段とを備え、その抽選に当選した場合には前記検出信号を出力することを特徴とする遊技機。
【請求項２】
請求項１に記載の遊技機において、
前記検出手段は、遊技領域に発射されてこの遊技領域のいずれの入賞口にも入らなかった有価物体を回収するための遊技領域中の回収口と、前記回収口に有価物体が所定数回収される毎に抽選を行う抽選手段とを備え、その抽選に当選した場合には前記検出信号を出力することを特徴とする遊技機。
【手続補正書】
【提出日】平成17年3月1日(2005.3.1)
【手続補正１】
【補正対象書類名】明細書
【補正対象項目名】００３４
【補正方法】変更
【補正の内容】
【００３４】
Ｗ（ω）＝Ｓ（ω）Ｔ（ω）Ｄ（ω）Ａ（ω）          ・・・（４）
ここで、Ｔ（ω）＝１とし、また水中においてはＡ（ω）＝１であるとみなすと、以下の（５）式が導かれる。
【手続補正２】
【補正対象書類名】明細書
【補正対象項目名】００４０
【補正方法】変更
【補正の内容】
【００４０】
Ｘ（ω）＝Ｓ’（ω）Ｄ（ω）Ａ（ω）Ｄ（ω）          ・・・（８）
さらに、上記の（８）式に（７）式を代入すると、以下のようになる。
【手続補正３】
【補正対象書類名】明細書
【補正対象項目名】００４３
【補正方法】変更
【補正の内容】
【００４３】
図３に示す例では、生体組織と等価なファントム４０が用いられている。その周波数特性がＢ（ω）によって表されている。そのファントム４０の表面上に超音波探触子１０の送受波面が当接される。図３に示す構成において、送信信号発生器１４にて補正前の送信信号１００が生成される。これによって超音波探触子１０から超音波が放射される。ファントム４０からの反射波は超音波探触子１０にて受波され、これにより受信信号１０４が受信回路１６に入力される。さらに受信回路１６から出力される受信信号は周波数解析装置３６へ出力され、上記同様に受信信号に対して周波数解析がなされる。ここで、受信回路１６の出力信号（図１におけるパルス圧縮処理部２０の入力信号に相当する信号）の周波数特性Ｘ（ω）は、以下の（１０）式のように表される。
【手続補正４】
【補正対象書類名】明細書
【補正対象項目名】００４４
【補正方法】変更
【補正の内容】
【００４４】
Ｘ（ω）＝Ｓ（ω）Ｔ（ω）Ｄ（ω）Ｂ（ω）Ｄ（ω）Ｒ（ω）
・・・（１０）
ここで、Ｔ（ω）＝１及びＲ（ω）＝１とすれば、以下の（１１）式のようになる。
【手続補正５】
【補正対象書類名】明細書
【補正対象項目名】００４９
【補正方法】変更
【補正の内容】
【００４９】
ちなみに、生体組織に対して送受波を行う場合には、（８）式が成立するので、それに上記の（１３）式を代入すると以下の（１４）式が導かれる。
【手続補正６】
【補正対象書類名】明細書
【補正対象項目名】００５１
【補正方法】変更
【補正の内容】
【００５１】
なお、この方法は超音波振動子の周波数特性が送信時と受信時とで異なる場合にも適用可能である。ここで、ＤT（ω）を送信時の超音波振動子の周波数特性とし、ＤR（ω）を受信時の超音波振動子の周波数特性とすると、上記の（１０）式は以下の（１５）式のように表される。
【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
超音波プローブを駆動して被検体に撮像用超音波を照射させるとともに、該超音波プローブに受信される超音波信号を処理させるＵＳ制御手段と、該受信処理された超音波信号に基づいて断層像を生成するＵＳ画像生成手段とを有してなる超音波医療装置と、
静磁場に置かれた前記被検体に設定断層面に応じて傾斜磁場と高周波パルスを印加する撮像シーケンスを実行するＭＲ制御手段と、該撮像シーケンスの実行により前記被検体から発生する核磁気共鳴信号に基づいて断層像を生成するＭＲ画像生成手段とを有してなる磁気共鳴撮像装置と、
前記ＵＳ画像生成手段と前記ＭＲ画像生成手段で生成された画像を表示する少なくとも１つの表示手段と
前記超音波プローブに固定された位置及び姿勢の検出ポインタと、前記磁気共鳴撮像装置の装置本体に固定して設けられた基準ポインタと、前記検出ポインタと前記基準ポインタを受像可能に配置されたカメラと、該カメラの受像データに基づいて前記超音波プローブの位置及び姿勢を前記磁気共鳴撮像装置の座標系に変換するプローブ位置演算手段とを備え、
該プローブ位置演算手段により変換された前記超音波プローブの位置及び姿勢と前記ＵＳ制御手段から出力される前記超音波プローブの焦点位置とに基づいて前記ＭＲ画像の前記設定断層面を決定する超音波−磁気共鳴複合医療装置。
【請求項２】
前記決定した設定断層面を前記ＭＲ制御手段に出力する協調制御手段を備えてなる請求項１に記載の超音波−磁気共鳴複合医療装置。
【請求項３】
前記ＭＲ制御手段は、前記決定した設定断層面について前記撮像シーケンスを実行し、該実行により前記表示手段に表示されたＭＲ断層像に基づいて病変部を検出し、該病変部の位置に基づいて画像データから治療用超音波ビームの収束点の位置を算出し、該算出された収束点位置を前記ＵＳ制御手段に出力することを特徴とする請求項２に記載の超音波−磁気共鳴複合医療装置。
【請求項４】
前記ＭＲ制御手段は、前記決定した設定断層面について前記撮像シーケンスを実行し、該実行により前記表示手段に表示されたＭＲ断層像に入力設定された治療点を表すマークを検出し、該マークの位置に基づいて画像データから治療用超音波ビームの収束点の位置を算出し、該算出された収束点位置を前記ＵＳ制御手段に出力することを特徴とする請求項２に記載の超音波−磁気共鳴複合医療装置。
【請求項５】
前記ＵＳ制御手段は、入力される治療用超音波ビームの収束点位置に基づいて、治療用超音波ビームの収束点位置を制御し、与えられる指令に応答して前記超音波プローブから治療用超音波を照射し、
前記ＭＲ制御手段は、治療用超音波ビームの収束点位置を前記ＵＳ制御手段に出力した後、該収束点を含む断層面についてＴ１又はＴ２強調画像の撮像シーケンスを実行させることを特徴とする請求項３又は４に記載の超音波−磁気共鳴複合医療装置。
【請求項６】
前記ＭＲ制御手段は、前記Ｔ１又はＴ２強調画像の画像データに基づいてＭＲ断層像の温度変化を計測し、該温度変化に応じてカラーマッピング画像を前記表示装置に表示させることを特徴とする請求項５に記載の超音波−磁気共鳴複合医療装置。
【請求項７】
前記ＵＳ制御手段は、前記協調制御手段から出力されるＭＲ座標系に変換された前記超音波プローブの位置と姿勢の座標データを取り込み、超音波３次元断層像の画像データにＭＲ座標データを対応させて記憶させ、
前記ＭＲ制御手段は、前記超音波３次元断層像に対応する領域のＭＲ３次元画像を撮像する撮像シーケンスを実行し、該ＭＲ３次元画像に基づいて特定の組織の境界を抽出し、該境界に係る画像データを前記表示手段に出力して、前記超音波３次元断層像に重ねて表示させることを特徴とする請求項２に記載の超音波−磁気共鳴複合医療装置。
【請求項８】
前記ＵＳ制御手段は、前記協調制御手段から出力されるＭＲ座標系に変換された前記超音波プローブの位置と姿勢の座標データを取り込み、超音波３次元断層像の画像データにＭＲ座標データを対応させて記憶させ、
前記ＭＲ制御手段は、前記超音波３次元断層像に対応する領域のＭＲ３次元画像を撮像する撮像シーケンスを実行し、該ＭＲ３次元画像に基づいて特定の組織の境界を抽出して前記ＵＳ制御手段に出力し、
前記ＵＳ制御手段は、前記ＭＲ制御手段で抽出された特定の組織の境界内の前記超音波３次元断層像の画素データを抽出して前記表示手段に表示させることを特徴とする請求項２に記載の超音波−磁気共鳴複合医療装置。
【手続補正２】
【補正対象書類名】明細書
【補正対象項目名】００１８
【補正方法】変更
【補正の内容】
【００１８】
その結果、例えば、ＵＳ制御手段から撮像用の超音波ビームの焦点位置を取り込むことにより、その焦点位置を含む任意の向きの断面を撮像断面として容易に設定することができる。この場合、前記プローブ位置演算手段により変換された前記超音波プローブの位置及び姿勢と前記ＵＳ制御手段から出力される前記超音波プローブの焦点位置とに基づいて前記ＭＲ画像の前記設定断層面を決定することができる。また、決定した設定断層面を前記ＭＲ制御手段に出力する協調制御手段を設けることができる。この協調制御手段は、パーソナルコンピュータにより実現できる。
【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
変形可能な光学部を有する眼内挿入用レンズを、該光学部に応力をかけない状態で内部に保持する保持手段と、前記レンズを内腔を通して眼内に挿入する挿入筒と、前記レンズを前記挿入筒の先端部開口から眼内に押出す押出機構とを有するレンズ挿入器具を含む眼内挿入用レンズの挿入システムにおいて、
前記レンズ挿入器具は、前記押出機構により押し出される前記レンズを通過させる際の潤滑剤として前記内腔に注入する物質の注入部を備えると共に、注入量を指示するための指標を有することを特徴とする眼内挿入用レンズの挿入システム。
【請求項２】
前記指標が粗面であることを特徴とする請求項１に記載の眼内挿入用レンズの挿入システム。
【請求項３】
前記注入部が、前記挿入筒の先端部開口であることを特徴とする請求項１に記載の眼内挿入用レンズの挿入システム。
【請求項４】
前記注入部が、前記保持手段側から前記挿入筒側に向かって形成されていることを特徴とする請求項１に記載の眼内挿入用レンズの挿入システム。
【手続補正２】
【補正対象書類名】明細書
【補正対象項目名】０００６
【補正方法】変更
【補正の内容】
【０００６】
【課題を解決するための手段】
上記目的を達成するために、本発明は、変形可能な光学部を有する眼内挿入用レンズを、該光学部に応力をかけない状態で内部に保持する保持手段と、前記レンズを内腔を通して眼内に挿入する挿入筒と、前記レンズを前記挿入筒の先端部開口から眼内に押出す押出機構とを有するレンズ挿入器具を含む眼内挿入用レンズの挿入システムにおいて、前記レンズ挿入器具は、前記押出機構により押し出される前記レンズを通過させる際の潤滑剤として前記内腔に注入する物質の注入部を備えると共に、注入量を指示するための指標を有することを特徴とする。
本発明において、上記指標を粗面としてもよい。また、上記注入部を、挿入筒の先端部開口としてもよい。さらに、上記注入部を、保持手段側から挿入筒側に向かって形成してもよい。
【手続補正３】
【補正対象書類名】明細書
【補正対象項目名】００１８
【補正方法】変更
【補正の内容】
【００１８】
【発明の効果】
以上説明したように、本発明によれば、必要な物質注入量の判断が容易にとなり、必要以上の物質の注入が回避できるため、経済的な効果が得られると共に、注入量の不足により、十分な潤滑効果が得られずに眼内挿入用レンズが破損するなどの不具合解消が可能であるため、誤操作を防止し、操作性と安全性を向上させた眼内挿入用レンズの挿入システムの提供が可能となる。
また、指標を粗面とすることで、注入量をより容易に判断することが可能となる効果がある。
さらに、物質を注入する注入部を挿入筒先端部開口とすることで、眼内挿入用レンズが通過するために物質の注入が必要な挿入筒内に確実、且つ、容易に注入可能となる効果がある。
また、物質を注入する注入部を保持手段側から挿入筒側に向かって形成したので、眼内挿入用レンズが通過するために物質の注入が必要な挿入筒内に確実、且つ、容易に注入可能となる効果がある。
【手続補正書】
【提出日】平成16年3月3日(2004.3.3)
【手続補正１】
【補正対象書類名】明細書
【補正対象項目名】００２９
【補正方法】変更
【補正の内容】
【００２９】
このように構成されたパチンコ機では、上記中枠に、前述した前枠Ｄ、上下の球受け皿Ｅ，Ｆ、打球発射装置Ｇ、遊技盤Ｂ及び各種の付属部品等の遊技用構成部材がセットされて１台単位に構成されている。即ち、遊技者が通常の打球発射操作を行うことにより、上の球受け皿Ｅ内の遊技球を１球ずつ発射レール１に送り込み、それを所望の強度で適宜に打ち出すことによって、遊技盤Ｂ内でパチンコゲームを展開することができる。
【手続補正書】
【提出日】平成17年4月6日(2005.4.6)
【手続補正１】
【補正対象書類名】明細書
【補正対象項目名】請求項１
【補正方法】変更
【補正の内容】
【請求項１】
パチンコ遊技機の盤面から突出された任意の２本の障害釘の間隔を示す釘間隔及び／またはパチンコ遊技機の盤面から突出された任意の障害釘の傾斜角についての調整状態をパチンコ遊技機毎に区分して管理するための釘調整状態管理システムにおいて、
各パチンコ遊技機における前記釘間隔及び／または傾斜角についての釘調整目標値及び許容範囲を出力する管理装置と、
前記釘間隔及び／または傾斜角を測定する測定手段と、
釘調整作業者が携帯するように設けられ、前記管理装置から出力される釘調整目標値及び許容範囲と、前記測定手段から出力される測定値とを入力し、上記釘調整目標値及び測定値の差が上記許容範囲内であるか否かを判定すると共に、その判定結果が許容範囲外である場合は釘調整作業中の障害釘に対する釘調整作業を継続すべき旨を報知する一方、前記判定結果が許容範囲内である場合は釘調整作業を終了すべき旨を報知するように構成された携帯端末と、
を設け、
前記管理装置は、前記測定手段による最終的な測定値と前記釘調整目標値との差を演算すると共に、その演算結果を誤差値として出力する演算手段を備え、この演算手段が出力する誤差値と、前記釘調整目標値と、各パチンコ遊技機の台番号とを対応付けた帳票データを記憶すると共に、当該帳票データをモニタまたはプリンタを通じて出力することを特徴とするパチンコ遊技機の釘調整状態管理システム。
【手続補正２】
【補正対象書類名】明細書
【補正対象項目名】０００５
【補正方法】変更
【補正の内容】
【０００５】
【課題を解決するための手段】
請求項１記載のパチンコ遊技機の釘調整状態管理システムは、上記目的を達成するために、パチンコ遊技機の盤面から突出された任意の２本の障害釘の間隔を示す釘間隔及び／またはパチンコ遊技機の盤面から突出された任意の障害釘の傾斜角についての調整状態をパチンコ遊技機毎に区分して管理するための釘調整状態管理システムにおいて、
各パチンコ遊技機における前記釘間隔及び／または傾斜角についての釘調整目標値及び許容範囲を出力する管理装置と、前記釘間隔及び／または傾斜角を測定する測定手段と、釘調整作業者が携帯するように設けられ、前記管理装置から出力される釘調整目標値及び許容範囲と、前記測定手段から出力される測定値とを入力し、上記釘調整目標値及び測定値の差が上記許容範囲内であるか否かを判定すると共に、その判定結果が許容範囲外である場合は釘調整作業中の障害釘に対する釘調整作業を継続すべき旨を報知する一方、前記判定結果が許容範囲内である場合は釘調整作業を終了すべき旨を報知するように構成された携帯端末とを設けた上で、
前記管理装置を前記測定手段による最終的な測定値と前記釘調整目標値との差を演算すると共に、その演算結果を誤差値として出力する演算手段を備え、この演算手段が出力する誤差値と、前記釘調整目標値と、各パチンコ遊技機の台番号とを対応付けた帳票データを記憶すると共に、当該帳票データをモニタまたはプリンタを通じて出力する構成としたものである。
【手続補正３】
【補正対象書類名】明細書
【補正対象項目名】０００６
【補正方法】変更
【補正の内容】
【０００６】
この構成によれば、パチンコ遊技機の釘調整を行う場合には、その遊技機の盤面から突出された任意の２本の障害釘の間隔を示す釘間隔及び／またはパチンコ遊技機の盤面から突出された任意の障害釘の傾斜角についての釘調整目標値及び許容範囲を管理装置から出力する。釘調整作業者は、釘調整対象となる障害釘についての前記釘間隔及び／または傾斜角を、目標値指示手段から出力された前記釘調整目標値と一致するように調整するという釘調整作業を行う。釘調整作業者が携帯する携帯端末は、前記管理装置から出力される釘調整目標値及び許容範囲と、前記測定手段から出力される測定値とを入力し、上記釘調整目標値及び測定値の差が上記許容範囲内であるか否かを判定すると共に、その判定結果が許容範囲外である場合は釘調整作業中の障害釘に対する釘調整作業を継続すべき旨を報知する一方、前記判定結果が許容範囲内である場合は釘調整作業を終了すべき旨を報知する。つまり、釘調整作業は、上記障害釘の釘間隔及び／または傾斜角を測定手段により測定しながら行うことができ、しかも、携帯端末において上記のような報知が行われる結果、熟練度が低い作業者でも釘調整目標値通りの釘調整が可能になる。
【手続補正４】
【補正対象書類名】明細書
【補正対象項目名】０００７
【補正方法】変更
【補正の内容】
【０００７】
管理装置においては、これに備えられた演算手段が、測定手段による最終的な測定値が得られた場合に、当該測定値と釘調整目標値との差を演算すると共に、その演算結果を誤差値として出力するようになり、このように出力される誤差値と、前記釘調整目標値と、各パチンコ遊技機の台番号とを対応付けた帳票データを記憶すると共に、当該帳票データをモニタまたはプリンタを通じて出力するようになる。従って、その誤差値をモニタ出力またはプリンタ出力にて確認することにより、パチンコ遊技機に対する釘調整作業が釘調整目標値通りに行われているか否かを正確且つ容易に把握できるようになる。また、このような誤差値、つまり釘調整目標値と実際に行われた釘調整結果との誤差を示すデータと、パチンコ遊技機の実際の稼働データとを比較可能になるから、そのような誤差が、パチンコ遊技機の稼動データにどのような影響を与えるかという点について容易に把握可能となり、結果的に測定手段による測定結果の有効利用を実現できるようになる。
【手続補正５】
【補正対象書類名】明細書
【補正対象項目名】００３８
【補正方法】変更
【補正の内容】
【００３８】
このような釘調整を行った後には、携帯端末１０に信号線１０ａを介して接続した測定ユニット９により、釘調整対象の命釘に係る釘間隔を測定し、その測定値を携帯端末１０に取り込む。すると、携帯端末１０においては、制御回路２０が、上記釘調整目標値と測定値とを比較し、両差の差をとった値が所定の許容範囲にあるか否かを判定すると共に、その判定結果をスピーカ２２を通じて報知する動作を行う。このような報知動作は、釘調整目標値と測定値との差が許容範囲外であった場合に、釘調整を継続すべき旨の報知音（ＮＧ音）を出力し、許容範囲内であった場合に釘調整を終了すべき旨の報知音（ＯＫ音）を出力することにより行われるから、釘調整を継続すべきか、或いは釘調整を完了すべきかが正確に報知されることになる。このため、釘調整作業者側においては、実際に釘調整作業を行う際に、その釘調整が完了したことを確実に知ることができるようになり、結果的に、熟練度が低い作業者でも釘調整目標値通りの釘調整が可能になるなど、実用上において極めて有益になる。
【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
所定条件が成立したとき演出手段により遊技演出を行うスロットマシンであって、
上記演出手段は、複数の表示装置を備え、そのうちの１つの表示装置に表示した特定物が表示されなくなるに伴って、この特定物を他の表示装置に表示し、特定物の連続動作を表現して遊技演出を行うように構成されていることを特徴とするスロットマシン。
【請求項２】
上記複数の表示装置のうち、少なくとも１つの表示装置は他の表示装置と種類が異なり、その種類の異なる表示装置間で上記特定物の連続動作を表現するものである請求項１記載のスロットマシン。
【請求項３】
上記複数の表示装置は、それぞれ画像表示装置、発光表示装置又は機械式可動表示装置のいずれかである請求項２記載のスロットマシン。
【請求項４】
上記機械式可動表示装置は、筐体内に配置され、かつ筐体の前面部のリール表示窓又はこれに近接して設けた透視窓を通して遊技者に面するように設けられている請求項３記載のスロットマシン。
【請求項５】
上記画像表示装置は、筐体の前面部の表面パネルを構成するようになっている請求項３又は４記載のスロットマシン。
【請求項６】
上記発光表示装置は、筐体内に配置されたリールを内側から照らすバックライトである請求項３〜５のいずれか一つに記載のスロットマシン。
【請求項７】
上記機械式可動表示装置は、遊技者側から見えない位置に設けられた駆動部と、この駆動部の出力軸に一端が連結された揺動アームと、この揺動アームの他端に取り付けられかつ特定物が表された表示部とを有し、駆動部の作動により揺動アームがリール表示窓の内側を揺動し、表示部がリール表示窓を通して遊技者側に見えるように構成されている請求項４記載のスロットマシン。
【請求項８】
上記機械式可動表示装置は、透視窓に対応して配置された演出リールと、この演出リールをその中心軸回りに回転駆動する駆動部と、演出リールの外周面上の所定位置に取り付けられた特定物の模型とを有してなる請求項４記載のスロットマシン。
【手続補正２】
【補正対象書類名】明細書
【補正対象項目名】００１０
【補正方法】変更
【補正の内容】
【００１０】
請求項４〜６に係る発明は、いずれも上記画像表示装置、発光表示装置又は機械式可動表示装置の具体的な態様を示すものである。すなわち、請求項４に係る発明は、機械式可動表示装置を、筐体内に配置し、かつ筐体の前面部のリール表示窓又はこれに近接して設けた透視窓を通して遊技者に面するように設ける構成とする。また、請求項５に係る発明は、画像表示装置によって、筐体の前面部の表面パネルを構成する。さらに、請求項６に係る発明は、発光表示装置を、筐体内に配置されたリールを内側から照らすバックライトにより構成する。特に、機械式可動表示装置を、発明の実施の形態で詳述するように、遊技者側から見えない位置に設けられた駆動部と、この駆動部の出力軸に一端が連結された揺動アームと、この揺動アームの他端に取り付けられかつ特定物が表された表示部とを有し、駆動部の作動により揺動アームがリール表示窓の内側を揺動し、表示部がリール表示窓を通して遊技者側に見えるように構成し、あるいは透視窓に対応して配置された演出リールと、この演出リールをその中心軸回りに回転駆動する駆動部と、演出リールの外周面上の所定位置に取り付けられた特定物の模型とを有してなる構成にすることが望ましい。
【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
開閉可能な扉を備えた本体内に設けられ、外周面に識別情報の付された回転体と、
前記回転体の内部に設けられ、該回転体の回転及び停止を導出するべく所定の回転角度毎に回転駆動及び停止可能な駆動源を少なくとも含んでなる電気機器とを備え、前記回転体の回転に基づく遊技を行う遊技機であって、
前記本体の扉開口部は遊技機前面側に開口しているとともに、前記回転体を回転可能に支持する支持フレームを設け、
前記電気機器と、該電気機器を制御するための制御手段とを、電気的接続手段を介して電気的に接続可能に構成するとともに、
該電気的接続手段を、前記回転体外部に固定された中継手段と、前記電気機器及び前記中継手段を接続する第１の接続手段と、前記中継手段及び前記制御手段を接続する第２の接続手段とにより構成するとともに、前記中継手段を前記支持フレームに固定し、
さらに、前記中継手段には、前記第１の接続手段の接続される第１の集中端子が設けられているとともに、前記第１の接続手段の前記第１の集中端子への接続方向が前記扉開口部から奥行き方向となるよう設定されていることを特徴とする遊技機。
【請求項２】
開閉可能な扉を備えた本体内に設けられ、外周面に識別情報の付された回転体と、
前記回転体の内部に設けられ、該回転体の回転及び停止を導出するべく所定の回転角度毎に回転駆動及び停止可能な駆動源を少なくとも含んでなる電気機器とを備え、前記回転体の回転に基づく遊技を行う遊技機であって、
前記本体の扉開口部は遊技機前面側に開口しているとともに、前記回転体を回転可能に支持する支持フレームを設け、
前記電気機器と、該電気機器を制御するための制御手段とを、電気的接続手段を介して電気的に接続可能に構成するとともに、
該電気的接続手段を、前記回転体外部に固定された中継手段と、前記電気機器及び前記中継手段を接続する第１の接続手段と、前記中継手段及び前記制御手段を接続する第２の接続手段とにより構成するとともに、前記中継手段を前記支持フレームに固定し、
さらに、前記中継手段には、前記第２の接続手段の接続される第２の集中端子が設けられているとともに、前記第２の接続手段の前記第２の集中端子への接続方向が前記扉開口部から奥行き方向となるよう設定されていることを特徴とする遊技機。
【請求項３】
前記電気機器には、演出装置が含まれることを特徴とする請求項１又は２に記載の遊技機。
【請求項４】
前記回転体は複数並列状態で設けられており、前記各回転体に対応する支持フレームを包括的に支持する包括フレームを設けたことを特徴とする請求項１乃至３のいずれかに記載の遊技機。
【請求項５】
前記各支持フレームは、前記包括フレームに対し前面側で支持固定されていることを特徴とする請求項４に記載の遊技機。
【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
外周面に識別情報の付された回転体と、
所定の回転角度毎に回転駆動及び停止可能な駆動源と
を備え、前記回転体が並列状態で複数配設され、該回転体の回転に基づいて遊技を行うよう構成された遊技機であって、
前記回転体を、前記駆動源の作動に伴って回転する少なくとも１つの駆動回転体と、少なくとも１つの従動回転体とによって回転可能に支持するよう構成し、前記回転体内部には、複数の回転体に跨るようにして１の別装置を挿通状態で配設したことを特徴とする遊技機。
【請求項２】
外周面に識別情報の付された回転体と、
所定の回転角度毎に回転駆動及び停止可能な駆動源と
を備え、前記回転体が並列状態で複数配設され、該回転体の回転に基づいて遊技を行うよう構成された遊技機であって、
前記駆動源を前記回転体外部に設けるとともに、前記回転体内部には、複数の回転体に跨るようにして１の別装置を挿通状態で配設したことを特徴とする遊技機。
【請求項３】
外周面に識別情報の付された回転体と、
所定の回転角度毎に回転駆動及び停止可能な駆動源と
を備え、前記回転体が並列状態で複数配設され、該回転体の回転に基づいて遊技を行うよう構成された遊技機であって、
前記駆動源を前記回転体外部に設けるとともに、前記回転体を、前記駆動源の作動に伴って回転する少なくとも１つの駆動回転体と、少なくとも２つの従動回転体とによって回転可能に支持するよう構成し、前記回転体内部には、複数の回転体に跨るようにして１の別装置を挿通状態で配設したことを特徴とする遊技機。
【請求項４】
前記駆動源は、前記回転体の上方に設けられていることを特徴とする請求項２又は３に記載の遊技機。
【請求項５】
前記別装置は、前記回転体の外部において固定されていることを特徴とする請求項１乃至４のいずれかに記載の遊技機。
【請求項６】
前記別装置は、移動可能に設けられていることを特徴とする請求項１乃至４のいずれかに記載の遊技機。
【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
外周面に識別情報の付された回転手段を備え、該回転手段の回転に基づく遊技を行う遊技機であって、
所定の回転角度毎に回転駆動及び停止可能な駆動源と、
該駆動源の回転駆動力を前記回転手段に伝達可能な駆動力伝達手段と
を備え、前記駆動力伝達手段は、前記駆動源に設けられた駆動回転体と、前記回転手段に設けられた被動回転体と、前記駆動回転体及び被動回転体に架けられた無端条体とを具備し、前記無端条体の張力を調整可能な張力調整手段を設けたことを特徴とする遊技機。
【請求項２】
前記張力調整手段は、少なくとも前記駆動回転体の位置を調整することで前記無端条体の張力を調整可能となっていることを特徴とする請求項１に記載の遊技機。
【請求項３】
前記駆動回転体は、前記駆動源の出力軸に取付けられ、前記張力調整手段は、前記駆動源の位置を調整することで前記無端条体の張力を調整可能となっていることを特徴とする請求項１又は２に記載の遊技機。
【請求項４】
前記駆動源は、前記回転手段の内部空間において該回転手段の回転中心から離間した部位に位置する取付部材に対し締結部材で固定され、該締結部材を緩め、前記駆動源が前記取付部材に対しスライド可能となることで、前記無端条体の張力を調整可能となっていることを特徴とする請求項３に記載の遊技機。
【請求項５】
前記駆動源は、前記取付部材に対し複数の締結部材で固定されていることを特徴とする請求項４に記載の遊技機。
【請求項６】
各締結部材が緩められた状態にあって、そのうちの１の締結部材を回動中心として前記駆動源が回動されることで、前記駆動源が前記取付部材に対しスライド可能となるよう構成されていることを特徴とする請求項５に記載の遊技機。
【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
回転体と、該回転体を回転可能に支持する支軸を具備する支持フレームとを備え、前記回転体の回転に基づく遊技を行う遊技機であって、
前記回転体は、外周面に識別情報の付された回転体本体と、前記支軸に対し回転可能に支持された支持部と、前記回転体本体の幅方向両側部及び前記支持部を連結する連結部とを備え、
前記少なくとも一方の連結部の外面側と前記支持フレームの内側面との間に収容領域を設け、該収容領域に収容されるよう、所定の部材を、前記支持フレームの内面側に取付けたことを特徴とする遊技機。
【請求項２】
前記所定の部材は、基板を含んでいることを特徴とする請求項１に記載の遊技機。
【請求項３】
回転体と、該回転体を回転可能に支持する支軸を具備する支持フレームとを備え、前記回転体の回転に基づく遊技を行う遊技機であって、
前記回転体は、前記外周面に識別情報の付された回転体本体と、前記支軸に対し回転可能に支持された支持部と、前記回転体本体の幅方向両側部及び前記支持部を連結する連結部とを備え、
前記少なくとも一方の連結部の外面側と前記支持フレームの内側面との間に収容領域を設け、該収容領域に収容されるよう、所定の部材を、前記連結部の外面側に設けた又は取付けたことを特徴とする遊技機。
【請求項４】
前記所定の部材は、前記回転体の原点角度位置を検出するための検出手段を構成する原点検知突部を含んでいることを特徴とする請求項３に記載の遊技機。
【請求項５】
前記回転体本体は、外周面に識別情報の付された帯状環状体と、該帯状環状体の幅方向両側を支持する円環状のリング部とを備えるとともに、前記連結部の一端は前記リング部に連結されており、前記連結部の一端が前記リング部の外縁部よりも内側位置で連結されることによって、前記収容領域が設けられていることを特徴とする請求項１乃至４のいずれかに記載の遊技機。
【請求項６】
前記リング部は、前記帯状環状体を保持するための保持部と、該保持部からほぼ回転中心方向に延びるリブ部とを備えるとともに、該リブ部は、前記保持部の外縁部よりも内側に位置し、該リブ部に前記連結部の一端が連結されていることを特徴とする請求項５に記載の遊技機。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
開閉部材及びその開閉部材を施錠する施錠装置を備えた遊技機において、前記施錠装置は、枠体と、専用の鍵で解錠操作される錠と、その錠に連動する可動片と、その可動片の動きに応じて当該施錠装置の施錠又は解錠の状態を切替え可能な施解錠機構と、前記可動片の動き又は相対配置状況を検知してその検知情報に関する信号を出力する検知ユニットとを備えており、前記錠は、前記検知ユニットから独立して交換できるように前記枠体に対し装着されていることを特徴とする遊技機。
【請求項２】
前記錠及び検知ユニットは、共通の締結具を用いて前記枠体に対し共締めされていることを特徴とする請求項１に記載の遊技機。
【請求項３】
前記開閉部材として第１及び第２の開閉部材を備えており、前記可動片は、その動きに応じて前記施解錠機構と選択的に作動連結可能な第１腕部及び第２腕部を有し、前記施解錠機構は、可動片の第１腕部との作動連結時に第１開閉部材を解錠可能とする第１開閉部材用施解錠機構と、可動片の第２腕部との作動連結時に第２開閉部材を解錠可能とする第２開閉部材用施解錠機構とから構成されており、前記検知ユニットは、可動片の第１腕部の動き又は相対配置状況を検知する第１のセンサと、可動片の第２腕部の動き又は相対配置状況を検知する第２のセンサとを備えることを特徴とする請求項１又は２に記載の遊技機。
【請求項４】
前記第１のセンサは、可動片の第２腕部と第２開閉部材用施解錠機構との作動連結時において、第１開閉部材用施解錠機構と非連結状態にある可動片の第１腕部を検知可能な位置に設けられており、前記第２のセンサは、可動片の第１腕部と第１開閉部材用施解錠機構との作動連結時において、第２開閉部材用施解錠機構と非連結状態にある可動片の第２腕部を検知可能な位置に設けられていることを特徴とする請求項３に記載の遊技機。
【請求項５】
前記第１及び第２のセンサの各々は、第１及び第２開閉部材が共に施錠状態にある場合には、可動片のいずれの腕部も検出しない位置に設けられていることを特徴とする請求項４に記載の遊技機。
【請求項６】
前記検知ユニットは更に、前記第１及び第２のセンサを連結する連結部材を備えていることを特徴とする請求項３，４又は５に記載の遊技機。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
開閉部材及びその開閉部材を施錠する施錠装置を備えた遊技機において、前記施錠装置は、枠体と、遊技機に設けられた被係止部に対し係合及び離脱することで前記開閉部材の施錠及び解錠に関与する複数の鉤部材とを備え、前記枠体には、少なくとも１の鉤部材を取り外し可能な状態で支持するための支承部が形成されていることを特徴とする遊技機。
【請求項２】
前記枠体の支承部と、その支承部に支持される鉤部材の一部は、前記支承部による当該鉤部材の保持および前記支承部からの当該鉤部材の離脱を許容するような相互係合関係を構築するように形成されていることを特徴とする請求項１に記載の遊技機。
【請求項３】
前記枠体の支承部は、当該支承部に支持される鉤部材に設けられた係合凸部を保持するための支持用凹部と、その支持用凹部に連通すると共に前記鉤部材の係合凸部を前記支持用凹部に導入及び離脱させるための着脱用開口部とから構成されることを特徴とする請求項１又は２に記載の遊技機。
【請求項４】
前記支持用凹部は枠体の長手方向に沿って延びるガイド溝であり、前記枠体の支承部に支持される鉤部材は、前記支持用凹部としてのガイド溝に沿ってスライド可能に設けられることで、対応する被係止部に係合する施錠位置と、対応する被係止部から離脱する解錠位置との間を配置切替え可能となっていることを特徴とする請求項３に記載の遊技機。
【請求項５】
前記枠体の支承部に支持される鉤部材の施錠位置は、前記ガイド溝内にあって前記着脱用開口部から離れた位置に設定され、該鉤部材の解錠位置は、ガイド溝内にあって前記施錠位置と前記着脱用開口部との間に設定されていることを特徴とする請求項４に記載の遊技機。
【請求項６】
前記枠体の支承部に支持される鉤部材に設けられた係合凸部は、軸部とその軸部よりも径の大きな頭部とを有する係合ピンとして構成され、前記着脱用開口部は、前記係合ピンの頭部が挿通自在な大きさに設定され、前記支持用凹部としてのガイド溝は、前記係合ピン軸部の収容を許容するが係合ピン頭部の通過を許容しないような大きさ又は幅に設定されていることを特徴とする請求項４又は５に記載の遊技機。
【請求項７】
前記施錠装置は、前記鉤部材として、第１及び第２の鉤部材のほかに第３の鉤部材を備え、その第３の鉤部材が前記枠体に形成された支承部に対し取り外し可能な状態で支持されていることを特徴とする請求項１〜６のいずれかに記載の遊技機。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
第１及び第２の開閉部材、並びにそれら両開閉部材を施錠する施錠装置を備えた遊技機において、
前記施錠装置は、専用の鍵で解錠操作される錠と、その錠に連動する可動片と、その可動片の動きに応じて当該施錠装置の施錠又は解錠の状態を切替え可能な施解錠機構と、前記可動片の動き又は相対配置状況を検知してその検知情報に関する信号を出力する検知手段とを備え、
前記可動片は、その動きに応じて前記施解錠機構と選択的に作動連結可能な第１腕部及び第２腕部を有し、
前記施解錠機構は、可動片の第１腕部との作動連結時に第１開閉部材を解錠可能とする第１開閉部材用施解錠機構と、可動片の第２腕部との作動連結時に第２開閉部材を解錠可能とする第２開閉部材用施解錠機構とから構成されており、
前記検知手段は、可動片の第１腕部の動き又は相対配置状況を検知する第１のセンサと、可動片の第２腕部の動き又は相対配置状況を検知する第２のセンサとを備えることを特徴とする遊技機。
【請求項２】
前記第１のセンサは、可動片の第２腕部と第２開閉部材用施解錠機構との作動連結時において、第１開閉部材用施解錠機構と非連結状態にある可動片の第１腕部を検知可能な位置に設けられており、前記第２のセンサは、可動片の第１腕部と第１開閉部材用施解錠機構との作動連結時において、第２開閉部材用施解錠機構と非連結状態にある可動片の第２腕部を検知可能な位置に設けられていることを特徴とする請求項１に記載の遊技機。
【請求項３】
前記第１及び第２のセンサの各々は、第１及び第２開閉部材が共に施錠状態にある場合には、可動片のいずれの腕部も検出しない位置に設けられていることを特徴とする請求項２に記載の遊技機。
【請求項４】
前記検知手段を構成する第１及び第２のセンサは、前記錠の取付部に一体化されていることを特徴とする請求項１，２又は３に記載の遊技機。